(57)【特許請求の範囲】
【請求項１】
固定枠に一端部側が枢着されていると共に他端部側から開くことができる開閉体に固定的装着されるマンホール錠であって、このマンホール錠は、両端開口の中空円柱であり、かつ、前記開閉体の他端部側の凹所部７の内壁面に支持される取付け用フランジ部１１と外周壁に形成された第２螺合部１４に螺合する締付けナット１３によって挟圧された状態で装着される垂直固定筒と、この垂直固定筒の環状溝に嵌め込まれたＯリングに密着するように該垂直固定筒の前記取付け用フランジ部１１よりも上部側の外周壁に形成された第１螺合部１２に螺合するキャップ状の上蓋と、一方、垂直固定筒の下端部に形成された第３螺合部１５に螺合する底蓋と、垂直固定筒の下部側の断面真円形状の嵌合孔に内装された垂直軸部材に内端部が軸支されていると共に、水平方向に延びる外端部が前記固定枠に係脱する施錠片と、この施錠片の前記内端部と前記底蓋との間に介在し、施錠片を垂直固定筒の第１被係止部１６としての開口部１８の上部側切欠端面に係合する方向に常時付勢するバネ部材と、施錠片の上方に位置するように垂直固定筒内に上蓋側から完全に落とし込まれると共に、前記嵌合孔の第２被係止部としての内壁水平面１７に係脱するロック板７２を備え、かつ、施錠片を係合解除の方向へ回転させるのを防止するシリンダ錠７０とから成ることを特徴とするマンホール錠。
【請求項２】
請求項１に於いて、上蓋２２には係合操作具８が係合する係合凹所２４が形成され、また、垂直軸部材４１にも前記係合操作具８が係合する軸側係合凹所４２が形成されていることを特徴とするマンホール錠。
【発明の詳細な説明】
【技術分野】
【０００１】
本発明は、道路等に設置されるマンホールの開閉体（蓋体）を施錠するマンホール錠に関する。
【背景技術】
【０００２】
特許文献１の特開平１０−１９６２号公報には、マンホールの開閉体（蓋体）を施錠する施錠装置が提案されている。この施錠装置は、基本的には、マンホールの地面に固定された固定枠と、この固定枠に一端部側が枢着されていると共に他端部側から開くことができる開閉体と、この開閉体の他端部側に固定される垂直固定筒と、この垂直固定筒に内装され、かつ、係合操作具によって押し込まれた状態で回転する第１回転子と、この上位の第１回転子と所要間隔離間して下位に配設された第２回転子との間に介在するバネ部材と、第２回転子の下端部の下方に固着具を介して設けられ、かつ、前記マンホールの固定枠に係脱可能な爪部を有する爪金具とから成る。
【０００３】
しかしながら、上記構成の施錠装置には、垂直固定筒内に回転子の回転を防止する手段が設けられていないから、垂直固定筒の上面に回転可能に軸支された板状蓋板を除け、係合操作具の下端部を垂直固定筒の中心部の挿入用孔に差し込み、第１・第２回転子を回して爪金具を固定枠から簡単に開放することができるという問題点があった。したがって、外部からの不法行為が容易である。
【特許文献１】特開平１０−１９６２号公報
【発明の開示】
【発明が解決しようとする課題】
【０００４】
本発明の第１の目的は、外部からの不法行為を防止するマンホール錠を提案すること。第２の目的は、開閉体を簡単に開けることができないこと。第３の目的は、基本的には合鍵が存在しないと開閉体を開けることができないこと。その他の目的は、構成する部品点数を極力少なくし、各部材を合理的に組み合わせることができることである。
【課題を解決するための手段】
【０００５】
本発明のマンホール錠は、固定枠に一端部側が枢着されていると共に他端部側から開くことができる開閉体に固定的装着されるマンホール錠であって、このマンホール錠は、両端開口の中空円柱であり、かつ、前記開閉体の他端部側の凹所部７の内壁面に支持される取付け用フランジ部１１と外周壁に形成された第２螺合部１４に螺合する締付けナット１３によって挟圧された状態で装着される垂直固定筒と、この垂直固定筒の環状溝に嵌め込まれたＯリングに密着するように該垂直固定筒の前記取付け用フランジ部１１よりも上部側の外周壁に形成された第１螺合部１２に螺合する上蓋と、一方、垂直固定筒の下端部に形成された第３螺合部１５に螺合する底蓋と、垂直固定筒の下部側の断面真円形状の嵌合孔に内装された垂直軸部材に内端部が軸支されていると共に、水平方向に延びる外端部が前記固定枠に係脱する施錠片と、この施錠片の前記内端部と前記底蓋との間に介在し、施錠片を垂直固定筒の第１被係止部１６としての開口部１８の上部側切欠端面に係合する方向に常時付勢するバネ部材と、施錠片の上方に位置するように垂直固定筒内に上蓋側から完全に落とし込まれると共に、前記嵌合孔の第２被係止部としての内壁水平面１７に係脱するロック板７２を備え、かつ、施錠片を係合解除の方向へ回転させるのを防止するシリンダ錠７０とから成るとから成ることを特徴とする。
【０００６】
上記構成では、垂直固定筒１０には複数個の被係止部が形成され、その一つは周壁部の逃し用水平案内切欠部１９と連通する開口部１８に形成されかつ施錠片５０の中間部が係脱する第１被係止部１６であり、他の一つは垂直固定筒１０の嵌合孔内に形成されかつ障害部材７０のロック板７２が係脱する第２被係止部１７であることを特徴とする。
【０００７】
また障害部材７０は、合鍵７５の操作で駆動する駆動軸７１を有するシリンダ錠であり、前記駆動軸の突出端部には、垂直固定筒１０の内部に形成された第２被係止部１７と係脱可能なロック板７２が固定されていることを特徴とする。
【発明の効果】
【０００８】
（１）障害部材が垂直固定筒内に設けられているので、開閉体を簡単に開けることができない。すなわち、障害部材が固定枠と係合する施錠片の上方に位置するように垂直固定筒内に上蓋側から完全に落とし込まれ、かつ、施錠片を係合解除の方向へ回転させるのを防止しているので、障害部材を垂直固定筒から取り除かない限り、マンホールの開閉体を開くことができない。
【０００９】
（２）また、垂直固定筒は複数個の被係止部を有し、その一つは施錠片の中間部が係脱する第１被係止部であり、他の一つは障害部材のロック板が係脱する第２被係止部なので、第１及び第１被係止部の両方の係合関係をそれぞれ解消させない限り、マンホールの開閉体を開くことができない。
【００１０】
（３）また、障害部材はシリンダ錠なので、合鍵が必要となる。したがって、障害部材を垂直固定筒から誰でも自由に取り出すことができない。
【００１１】
（４）また垂直固定筒は両端開口の中空円柱であり、これに上蓋と底蓋がそれぞれ螺合するので、構成する部品点数を極力少なくすることができる。
【００１２】
（５）さらに、垂直固定筒は、開閉体の他端部側の凹所部７の内壁面に支持される上端部の取付け用フランジ部１１と外周壁に形成された第２螺合部１４に螺合する締付けナット１３によって挟圧された状態で装着されるので、各部材を合理的に組み合わせることができる。
【発明を実施するための最良の形態】
【００１３】
以下、図１乃至図１０に示す本発明を実施するための最良の形態により、本発明を詳細に説明する。
【００１４】
（１）マンホール１
マンホール１は、地面２にその環状の表面が略同一平面状に固定された環状固定枠３と、該固定枠３に一端部側が蝶番部材４を介して枢着されていると共に、他端部側から開くことができる開閉体５とから構成されている。マンホール１の細部については割愛するが、前記環状固定枠３の適宜部位（例えば断面Ｌ型状の内壁面）には突起状の枠側係合部６が形成されている。また、本実施例のマンホール１の開閉体５の他端部側（開閉端部側）には、マンホール錠Ｘ装着用の凹所部７が設けられ、該凹所部７の内壁底部に貫通孔８が形成されている。なお、９はマンホール１の下部フレームである。
【００１５】
（２）マンホール錠Ｘ
マンホール錠Ｘは、開閉体５の他端部側に固定される垂直固定筒１０と、この垂直固定筒１０の上端部に螺合する上蓋２２と、一方、垂直固定筒１０の下端部に螺合する底蓋３５と、垂直固定筒１０に内装された垂直軸部材４１に内端部が軸支されていると共に、水平方向に延びる外端部が前記固定枠３に係脱する施錠片５０と、この施錠片５０の前記内端部と前記底蓋３５との間に介在し、施錠片５０の中間部を垂直固定筒１０に形成した第１被係止部に係合する方向に常時付勢するバネ部材６０と、施錠片５０の上方に位置するように垂直固定筒１０内に上蓋側から完全に落とし込まれた障害部材７０とから成る。
【００１６】
（３）垂直固定筒１０
垂直固定筒１０は、凹所部７及び貫通孔８を介して開閉体５の他端部側に装着されると、その下端面は略マンホール１の下部フレーム９の下面ラインに達する。垂直固定筒１０の大きさは特に限定するものではないが、片手で握ることができる程度である。一方、その上端面は凹所部７内の略中間に位置する。垂直固定筒１０の上端面は、望ましくは凹所部７から突出しないようにすべきである。
【００１７】
１１は垂直固定筒１０の上端部に周設された取付け用フランジ部で、このフランジ部１１は凹所部７の内壁面に支持される。垂直固定筒１０のフランジ部１１が凹所部７の内壁面に支持されると、垂直固定筒１０の７割或いは８割程度が開閉体５の内壁面から下方に突出する。
【００１８】
しかして、取付け用フランジ部１１を基準にして垂直固定筒１０の上部側の外周壁には、上蓋２２用の第１螺合部１２が形成されている。一方、垂直固定筒１０の下部側の外周壁には、締付けナット１３用の第２螺合部１４が形成されている。したがって、垂直固定筒１０は取付け用フランジ部１１と締付けナット１３によって挟圧された状態で開閉体５の凹所部７に固定的に装着される。
【００１９】
１５は垂直固定筒１０の下端部に形成された第３螺合部で、この第３螺合部には底蓋３５が螺合する。
【００２０】
（４）垂直固定筒の被係止部１６．１７
垂直固定筒１０には複数個の被係止部が形成されている。一つは施錠片５０の中間部が係脱する第１被係止部１６で、他の一つは障害部材７０のロック板７２が係脱する第２被係止部１７である。
【００２１】
すなわち、１８は垂直固定筒１０の下端部側の適宜部位に形成された矩形状の縦長開口部で、本実施例ではこの縦長開口部１８の上部側切欠端面が施錠片５０用第１被係止部１６に相当する。この開口部１８には、垂直固定筒１０の周壁方向に沿って施錠片５０逃がし用の水平案内切欠部１９が連通状態に形成されている。
【００２２】
水平案内切欠部１９は、本実施例では施錠片５０を引っ繰り返して使用する場合もあり得ることを考慮して、例えば開口部１８の中央部に横Ｔ字状に交差するように形成されているが、必ずしも中央部に横Ｔ字状に交差するように形成する必要はない。水平案内切欠部１９を開口部１８の下部側にＬ字状に交差するように形成しても良い。
【００２３】
要は開口部１８と水平案内切欠部１９との連通は、施錠片５０が上昇位置にある施錠時には開口部１８の切欠端面に係止され、一方、後述する係合操作具８０で施錠片５０がバネ部材６０のバネ力に抗して下降した解錠時には開口部１８の切欠端面から開放される関係にあれば良い。
【００２４】
他の第２被係止部１７は、垂直固定筒１０の第２螺合部１４側の内部に形成されている。すなわち、垂直固定筒１０は両端開口の中空円柱であるが、第２螺合部１４を基準にしてその上部側は断面トラック形状（陸上競技場のグランド形状）の嵌合孔であるのに対し、下部側はその下端面に至るまで断面真円形状の嵌合孔である。
【００２５】
したがって、この断面真円形状と前記断面トラック形状の境である垂直固定筒１０の内壁水平面１７が、前述したロック板用の第２被係止部１７に相当する。２０は垂直固定筒１０の上端面に周設された環状溝に嵌め込まれたＯリングである。このＯリングが存在するので、垂直固定筒１０に水が入らない。
【００２６】
（５）上蓋２２
上蓋２２は垂直固定筒１０の上端部の第１螺合部１２に螺合する。本実施例では第１螺合部１２が垂直固定筒１０の外周壁に形成されたオネジ部である関係上、キャップ状上蓋２２の内周壁に第１螺合部１２に螺合するメネジ部２３が形成されている。したがって、図２で示すように、該キャップ状上蓋２２は、閉めると、垂直固定筒の環状溝に嵌め込まれたＯリングに密着する。また上蓋２２の中央部には係合操作具８０が係合する係合凹所２４が形成されている。
【００２７】
しかして、上蓋２２は垂直固定筒１０の上端部に螺着すると、開閉体５の嵌合凹所７内に納まり、上蓋２２の上面は開閉体５の上面から突出しない。上蓋２２は開閉体５に対して少なくとも同一平面上に位置する。
【００２８】
（６）底蓋３５
底蓋３５は垂直固定筒１０の下端部の第３螺合部１５に螺合する。底蓋３５は垂直固定筒１０の下端開口を閉鎖し、かつ、中心部に貫通孔３７を有するフランジ状の閉鎖板３６と、この閉鎖板３６の内壁面に突出形成された外側環状壁３８と、この外側環状壁３８にバネ部材６０の下端部が嵌合できるようにバネ用嵌合溝４０を形成する内側環状壁３９とから成る。
【００２９】
（７）施錠片５０
施錠片５０は、垂直固定筒１０に内装された垂直軸部材４１に内端部５１が軸支されていると共に、内端部５１に連設する中間部５２に水平方向に連設する外端部５３が固定枠３の枠側係合部６に係脱する。
【００３０】
施錠片５０は、垂直軸部材４１が垂直であるのに対して垂直固定筒１０又は垂直軸部材４１に直交してその中間部５２と外端部５３が垂直固定筒１０から水平状態に突出する。
しかして、ボス部に相当する内端部５１には角軸孔５４が形成されている。また、中間部５２は杆状に延び、上下の厚さ寸法は、前述した垂直固定筒１０の水平案内切欠部１９の上下の開口寸法よりも若干小さい。
【００３１】
したがって、中間部５２は水平案内切欠部１９内を自由に水平移行することができる。外端部５３の一側面５３ａは中間部５２の一側面に対して段差状に形成されている。これは固定枠３の枠側係合部６の上下位置に対応して施錠片５０を裏返して使用する場合もあり得ることを考慮したためである。なお、本実施例では内端部５１の上下の壁面にバネ部材６０の上端部６２が入り込むバネ用嵌合溝５５が形成されている。
【００３２】
（８）垂直軸部材４１
垂直軸部材４１は垂直固定筒１０の下部側の断面真円形状の嵌合孔に内装されている。しかして、４２は係合操作具８０が係合可能な軸側係合凹所、４３は施錠片５０の角軸孔５４に嵌合する角軸部、４４は角軸部に連設して底蓋３５の貫通孔３７に嵌合する円柱軸部、４５は垂直軸部材４１の軸側係合凹所４２の内壁底面から円柱軸部４４の下端面までストレートに形成された長い貫通孔である。
【００３３】
前記長い貫通孔４５、底蓋３５の貫通孔３７等は、何か問題が起きた場合に（例えば障害部材７０のロック板のロックを解除したい場合）に、図示しない操作棒を挿入するためのものである。底蓋３５を外さないで、又は底蓋３５を外して垂直軸部材４１の長い貫通孔４５に操作棒を挿入して障害部材７０のロック板をロック解除の方向へ動かすことが可能である。
【００３４】
（９）バネ部材６０
バネ部材６０は、施錠片５０の内端部５１と底蓋３５との間に介在し、施錠片５０の中間部５２を垂直固定筒１０に形成した第１被係止部１６に係合する方向に常時付勢する。すなわち、バネ部材６０は、施錠片５０の上壁が垂直固定筒１０の開口部１８の切欠端面に圧接するように常時付勢している。本実施例ではバネ部材６０は、その下端部６１は、底蓋３５のバネ用嵌合溝４０に嵌合し、一方、その一端部６２は施錠片５０のバネ用嵌合溝５５に嵌合しているので、垂直固定筒１０に安定的に内装されている。
【００３５】
（１０）障害部材７０
障害部材７０は、垂直固定筒１０の第２被係止部１７と係脱可能なロック板７２を有し、施錠片５０の上方に位置するように垂直固定筒１０内に上蓋側から完全に落とし込まれる。
【００３６】
しかして、本実施例では一般的なシリンダ錠７０が採用されている。このシリンダ錠７０はピンタンブラーを内蔵し、かつ、合鍵７５の操作で駆動する駆動軸７１を有する。そして、駆動軸７１の突出端部には垂直固定筒１０の第２被係止部１７と係脱可能なトラック形状のロック板７２が固着具７３を介して固定されている。なお、シリンダ錠７０はピンタンブラー以外に、ロータリーディスクタンブラーでも良い。
【００３７】
（１１）開閉体を開ける場合
本実施例では、障害部材７０が垂直固定筒１０内に設けられているので、開閉体５を簡単に開けることができない。すなわち、開閉体５を開ける場合には、まず上蓋２２を外す必要がある。上蓋２２を垂直固定筒１０から取り外す場合には、係合凹所２４に係合操作具８０の下端部を係合させて周方向に回す。
【００３８】
次に上蓋２２を垂直固定筒１０から取り外した場合には、障害部材７０を垂直固定筒１０から取り外さない限り、マンホール１の開閉体５を開くことができない。そこで、図５及び図６（裏側から見ている）で示すように、合鍵７５を障害部材（シリンダ錠）に差込み、解錠方向へ回転する。合鍵７５を操作すると、図６で示すように障害部材７０の駆動軸７１及びロック板７２は係合解除の矢印Ａ方向（反時計方向）に略９０度回転する。そうすると、ロック板７２は第２被係止部１７から開放される。そこで、障害部材７０を垂直固定筒１０から取り外す。
【００３９】
次に、障害部材７０を垂直固定筒１０から取り外しても、施錠片５０を固定枠３から開放しない限り開閉体５を開けることができない。そこで、図８で示すように係合操作具８０を垂直固定筒１０に入れ、かつ、その下端部を垂直軸部材４１の軸側係合凹所４２に係合させる。この場合には、図９で示すように係合操作具８０を押し込んだ状態で、かつ、図１０で示すように垂直固定筒１０の周方向に所定量回す必要がある。係合操作具８０を押し込むと、施錠片５０はバネ部材６０のバネ力に抗して下降するので、施錠片５０の係合部としての中間部５２は垂直固定筒１０の第１被係止部１６から離れる。
【００４０】
その結果、施錠片５０は逃し用水平案内部１９を介して係合解除の方向へと回転可能になるので、施錠片５０を回転して係合状態を解除し、その後開閉体５を開ける。
【実施例】
【００４１】
付随的な構成として、底蓋３５の外壁面に、底蓋を簡単に回すことができるように単数又は複数個の係合溝を形成しても良い。
【産業上の利用可能性】
【００４２】
本発明は、主に道路に設置されたマンホールの業界で利用される。
【図面の簡単な説明】
【００４３】
図１乃至図１０は本発明の最良の実施例を示す各説明図。
【図１】本発明の使用環境の一例を示す全体の概略説明図。
【図２】図１に於いて、主要部を拡大した概略説明図。
【図３】本発明の主要部の斜視図。
【図４】主要部の分解説明図。
【図５】上蓋を取り外し、合鍵を障害部材に差し込んだ説明図。
【図６】図５に於いて、合鍵を解錠方向へ回した時の説明図。
【図７】障害部材を垂直固定筒から取り外した説明図。
【図８】係合操作具を垂直固定筒に入れた状態の説明図。
【図９】係合操作具を押し込んだ状態で垂直固定筒の周方向に所定量回す説明図。
【図１０】図９に於いて、垂直固定筒の裏側から見たロック板の係合解除の概略説明図。
【符号の説明】
【００４４】
Ｘ…マンホール錠、1…マンホール、３…固定枠、５…開閉体、６…枠側係合部、７…凹所部、１０…垂直固定筒、１２…第１螺合部、１３…締付けナット、１４…第２螺合部、１５…第３螺合部、１６…第１被係止部、１７…第２被係止部、１８…開口部、１９…水平案内切欠部、２０…Ｏリング、２２…上蓋、２３…メネジ部、２４…係合凹所、３５…底蓋、３６…閉鎖板、３７…貫通孔、３８…外側環状壁、３９…内側環状壁、４０．５５…バネ用嵌合溝、４１…垂直軸部材、４２…軸側係合凹所、４３…角軸部、４４…円柱軸部、４５…長い貫通孔、５０…施錠片、５１…内端部、５２…中間部、５３…外端部、５４…角軸孔、６０…バネ部材、７０…障害部材、７１…駆動軸、７２…ロック板、７５…合鍵、８０…係合操作具。
【図１】
0003585918.tif 000002
【図２】
0003585918.tif 000003
【図３】
0003585918.tif 000004
【図４】
0003585918.tif 000005
【図５】
0003585918.tif 000006
【図６】
0003585918.tif 000007
【図７】
0003585918.tif 000008
【図８】
0003585918.tif 000009
【図９】
0003585918.tif 000010
【図１０】
0003585918.tif 000011